(57)【要約】【課題】良好な操作性を備える画像処理システムを提供する。【解決手段】ＭＦＰでは、タッチパネルに表示対象の操作画面に予め規定された秘密情報に基づく画像であるプレビュー画像が含まれる場合（Ｓ２０９でＹＥＳ）に、プレビュー画像の表示領域を非表示とした状態で操作画面をタッチパネルに表示する（Ｓ２１３）。さらに、ＭＦＰは、プレビュー画像を表示装置に表示する（Ｓ２１５）。表示装置は、プレビュー画像を表示する（Ｓ１０５）。ＭＦＰは、タッチパネルで操作画面に対するタッチを受け付けると、タッチされた位置を表わす位置情報を表示装置に送信する（Ｓ２１９）。表示装置は、位置情報に対応する位置に、手の指の画像などの予め記憶しているポインター画像をプレビュー画像よりも前面に重ねて表示する（Ｓ１０７）。【選択図】図１０
2015014977.tif 000002
【特許請求の範囲】
【請求項１】
タッチパネルを有する画像形成装置と、前記画像形成装置と通信可能であって、携帯可能な表示装置とを含んだ画像処理システムであって、
前記画像形成装置の前記タッチパネルに操作画面を表示し、前記タッチパネルで前記操作画面に対するタッチを受け付けると前記操作画面を更新するための第１の表示処理手段を備え、
前記第１の表示処理手段は、前記操作画面に予め規定された秘密情報に基づく画像が含まれる場合に、前記秘密情報に基づく画像を非表示とした状態で前記操作画面を前記タッチパネルに表示し、
前記秘密情報に基づく画像を前記表示装置に表示するための第２の表示処理手段と、
前記タッチパネルで前記操作画面に対するタッチを受け付けると、前記タッチされた位置を表わす位置情報を前記画像形成装置から前記表示装置に転送するための転送手段とさらに備え、
前記第２の表示処理手段は、前記表示装置の前記位置情報に対応する位置に、予め記憶しているポインター画像を前記秘密情報に基づく画像よりも前面に重ねて表示する、画像処理システム。
【請求項２】
前記第２の表示処理手段は、前記画像形成装置の前記タッチパネルに表示された前記操作画面を前記表示装置から撮影して得られた撮影画像に前記秘密情報に基づく画像を重畳して前記表示装置に表示する、請求項１に記載の画像処理システム。
【請求項３】
前記転送手段は、前記第２の表示処理手段が前記撮影画像に前記秘密情報に基づく画像を重畳して前記表示装置に表示している間に前記タッチパネルで前記操作画面に対するタッチを受け付けると、前記位置情報を前記表示装置に転送する、請求項２に記載の画像処理システム。
【請求項４】
前記第２の表示処理手段は、前記位置情報が前記表示装置に転送されるより以前に前記撮影画像から予め規定されているマーカー画像が検出されると、検出された前記マーカー画像の位置に、前記ポインター画像を前記秘密情報に基づく画像よりも前面に重ねて表示する、請求項２または３に記載の画像処理システム。
【請求項５】
前記第１の表示処理手段は、前記秘密情報に基づく画像が非表示の状態で前記操作画面にさらに前記操作画面に対するタッチによる指示を確定するためのボタンを表示し、前記操作画面に対するタッチに加えて前記ボタンが操作されたことで前記タッチに従って前記操作画面を更新する、請求項１〜４のいずれかに記載の画像処理システム。
【請求項６】
前記第１の表示処理手段は、前記操作画面に含まれる前記秘密情報に基づく画像の属性に応じて前記タッチパネルに対するマルチタッチ操作およびフリック操作の受け付けの可否を決定する、請求項１〜５のいずれかに記載の画像処理システム。
【請求項７】
前記第２の表示処理手段は、前記秘密情報に基づく画像に選択用のボタンが複数含まれている場合に、前記表示装置に表示する前記複数のボタンの表示間隔を、前記タッチパネルに表示されるときの間隔よりも大きくする、請求項１〜６のいずれかに記載の画像処理システム。
【請求項８】
前記第１の表示処理手段は、前記秘密情報に基づく画像が非表示の状態において、前記タッチパネルへのタッチ操作であるか否かの判定に用いるしきい値を前記秘密情報に基づく画像が含まれない操作画面を表示しているときのしきい値よりも長くする、請求項１〜７のいずれかに記載の画像処理システム。
【請求項９】
タッチパネルを有する画像形成装置であって、
前記タッチパネルに操作画面を表示し、前記タッチパネルで前記操作画面に対するタッチを受け付けると前記操作画面を更新するための第１の表示処理手段を備え、
前記第１の表示処理手段は、前記操作画面に予め規定された秘密情報に基づく画像が含まれる場合に、前記秘密情報に基づく画像を非表示とした状態で前記操作画面を前記タッチパネルに表示し、
前記操作画面に前記秘密情報に基づく画像が含まれる場合に、前記秘密情報に基づく画像を表示装置に対して送信するための第１の送信手段と、
前記タッチパネルで前記操作画面に対するタッチを受け付けると、前記タッチされた位置を表わす位置情報を前記表示装置に送信するための第２の送信手段とさらに備える、画像形成装置。
【請求項１０】
画像形成装置と通信可能であって、携帯可能な表示装置であって、
前記画像形成装置から、操作画面に含まれる、秘密情報に基づく画像の入力を受け付けるための第１の入力手段と、
前記秘密情報に基づく画像を表示するための表示処理手段と、
前記画像形成装置から、前記操作画面に対するタッチ位置を表わす位置情報の入力を受け付けるための第２の入力手段と備え、
前記表示処理手段は、前記位置情報に対応する位置に、予め記憶しているポインター画像を前記秘密情報に基づく画像よりも前面に重ねて表示する、表示装置。
【請求項１１】
タッチパネルを有する画像形成装置と、前記画像形成装置と通信可能であって、携帯可能な表示装置とを含んだ画像処理システムにおける操作画面の表示方法であって、
前記画像形成装置の前記タッチパネルに表示対象の操作画面に予め規定された秘密情報に基づく画像が含まれる場合に、前記秘密情報に基づく画像を非表示とした状態で前記操作画面を前記タッチパネルに表示するステップと、
前記秘密情報に基づく画像を前記表示装置に表示するステップと、
前記タッチパネルで前記操作画面に対するタッチを受け付けると、前記タッチされた位置を表わす位置情報を前記画像形成装置から前記表示装置に転送するステップと、
前記表示装置の前記位置情報に対応する位置に、予め記憶しているポインター画像を前記秘密情報に基づく画像よりも前面に重ねて表示するステップとを備える、表示方法。
【請求項１２】
タッチパネルを有する画像形成装置の制御プログラムであって、
前記タッチパネルに表示対象の操作画面に予め規定された秘密情報に基づく画像が含まれる場合に、前記秘密情報に基づく画像を非表示とした状態で前記操作画面を前記タッチパネルに表示するステップと、
前記秘密情報に基づく画像を表示装置に対して送信するステップと、
前記タッチパネルで前記操作画面に対するタッチを受け付けると、前記タッチされた位置を表わす位置情報を前記表示装置に送信するステップとを前記画像形成装置に実行させる、制御プログラム。
【請求項１３】
携帯可能な表示装置の制御プログラムあって、
画像形成装置から操作画面に含まれる秘密情報に基づく画像の入力を受け付けると、前記秘密情報に基づく画像を表示するステップと、
前記画像形成装置から、前記操作画面に対するタッチ位置を表わす位置情報の入力を受け付けると、前記位置情報に対応する位置に、予め記憶しているポインター画像を前記秘密情報に基づく画像よりも前面に重ねて表示するステップとを前記表示装置に実行させる、制御プログラム。
【発明の詳細な説明】
【技術分野】
【０００１】
この発明は画像処理システム、画像形成装置、表示装置、表示方法、および制御プログラムに関し、特に、画像形成装置の情報を携帯可能な表示装置に表示する画像処理システム、画像形成装置、表示装置、表示方法、および制御プログラムに関する。
【背景技術】
【０００２】
プリンターやコピー機やファクシミリ送受信機やこれら機能を複合的に有するＭＦＰ（Multi-Functional  Peripheral）などの画像形成装置は、自身の備える操作パネルに文書や画像形成処理に関連する情報を表示することができる。しかしながら、表示対象の文書や情報が機密情報を含むものである場合、画像形成装置の設置されている状況やユーザーの使用状況によってはその機密情報が漏洩するおそれがある。そこで、特開２００６−２７７２３９号公報（以下、特許文献１）、特開２０１１−１３４０５３号公報（以下、特許文献２）、および特開２０１２−１３８０１１号公報（以下、特許文献３）などの文献は、画像形成装置がそのような情報を自身の操作パネルには表示せずに、予め規定された、携帯端末やいわゆるヘッドマウントディスプレイ（ＨＭＤ）などと呼ばれるウェアラブルコンピューターなどの、携帯可能な表示装置に送信して、画像形成装置の操作パネルの画像と重畳して表示させるようにする技術を開示している。
【先行技術文献】
【特許文献】
【０００３】
【特許文献１】特開２００６−２７７２３９号公報
【特許文献２】特開２０１１−１３４０５３号公報
【特許文献３】特開２０１２−１３８０１１号公報
【発明の概要】
【発明が解決しようとする課題】
【０００４】
しかしながら、上記文献に開示された方法では、ユーザーは、表示装置に表示された操作パネルを見ながら実際の画像形成装置の操作パネルを操作することになるため、操作し難く、実際の操作パネルを見ながら操作する場合と比較して操作性が劣るという問題があった。
【０００５】
本発明はこのような問題に鑑みてなされたものであって、良好な操作性を備える画像処理システム、画像形成装置、表示装置、表示方法、および制御プログラムを提供することを目的としている。
【課題を解決するための手段】
【０００６】
上記目的を達成するために、本発明のある局面に従うと、画像処理システムは、タッチパネルを有する画像形成装置と、画像形成装置と通信可能であって、携帯可能な表示装置とを含む。画像処理システムは、画像形成装置のタッチパネルに操作画面を表示し、タッチパネルで操作画面に対するタッチを受け付けると操作画面を更新するための第１の表示処理手段を備え、第１の表示処理手段は、操作画面に予め規定された秘密情報に基づく画像が含まれる場合に、秘密情報に基づく画像を非表示とした状態で操作画面をタッチパネルに表示する。画像処理システムは、さらに、秘密情報に基づく画像を表示装置に表示するための第２の表示処理手段と、タッチパネルで操作画面に対するタッチを受け付けると、タッチされた位置を表わす位置情報を画像形成装置から表示装置に転送するための転送手段と備える。第２の表示処理手段は、表示装置の位置情報に対応する位置に、予め記憶しているポインター画像を秘密情報に基づく画像よりも前面に重ねて表示する。
【０００７】
好ましくは、第２の表示処理手段は、画像形成装置のタッチパネルに表示された操作画面を表示装置から撮影して得られた撮影画像に秘密情報に基づく画像を重畳して表示装置に表示する。
【０００８】
より好ましくは、転送手段は、第２の表示処理手段が撮影画像に秘密情報に基づく画像を重畳して表示装置に表示している間にタッチパネルで操作画面に対するタッチを受け付けると、位置情報を表示装置に転送する。
【０００９】
好ましくは、第２の表示処理手段は、位置情報が表示装置に転送されるより以前に撮影画像から予め規定されているマーカー画像が検出されると、検出されたマーカー画像の位置に、ポインター画像を秘密情報に基づく画像よりも前面に重ねて表示する。
【００１０】
好ましくは、第１の表示処理手段は、秘密情報に基づく画像が非表示の状態で操作画面にさらに操作画面に対するタッチによる指示を確定するためのボタンを表示し、操作画面に対するタッチに加えてボタンが操作されたことでタッチに従って操作画面を更新する。
【００１１】
好ましくは、第１の表示処理手段は、操作画面に含まれる秘密情報に基づく画像の属性に応じてタッチパネルに対するマルチタッチ操作およびフリック操作の受け付けの可否を決定する。
【００１２】
好ましくは、第２の表示処理手段は、秘密情報に基づく画像に選択用のボタンが複数含まれている場合に、表示装置に表示する複数のボタンの表示間隔を、タッチパネルに表示されるときの間隔よりも大きくする。
【００１３】
好ましくは、第１の表示処理手段は、秘密情報に基づく画像が非表示の状態において、タッチパネルへのタッチ操作であるか否かの判定に用いるしきい値を秘密情報に基づく画像が含まれない操作画面を表示しているときのしきい値よりも長くする。
【００１４】
本発明の他の局面に従うと、画像形成装置はタッチパネルを有し、タッチパネルに操作画面を表示し、タッチパネルで操作画面に対するタッチを受け付けると操作画面を更新するための第１の表示処理手段を備え、第１の表示処理手段は、操作画面に予め規定された秘密情報に基づく画像が含まれる場合に、秘密情報に基づく画像を非表示とした状態で操作画面をタッチパネルに表示する。画像形成装置は、さらに、操作画面に秘密情報に基づく画像が含まれる場合に、秘密情報に基づく画像を表示装置に対して送信するための第１の送信手段と、タッチパネルで操作画面に対するタッチを受け付けると、タッチされた位置を表わす位置情報を表示装置に送信するための第２の送信手段と備える。
【００１５】
本発明のさらに他の局面に従うと、表示装置は画像形成装置と通信可能であって、携帯可能であって、画像形成装置から、操作画面に含まれる、秘密情報に基づく画像の入力を受け付けるための第１の入力手段と、秘密情報に基づく画像を表示するための表示処理手段と、画像形成装置から、操作画面に対するタッチ位置を表わす位置情報の入力を受け付けるための第２の入力手段と備え、表示処理手段は、位置情報に対応する位置に、予め記憶しているポインター画像を秘密情報に基づく画像よりも前面に重ねて表示する。
【００１６】
本発明のさらに他の局面に従うと、表示方法は、画像処理システムにおける操作画面の表示方法である。画像処理システムは、タッチパネルを有する画像形成装置と、画像形成装置と通信可能であって、携帯可能な表示装置とを含む。表示方法は、画像形成装置のタッチパネルに表示対象の操作画面に予め規定された秘密情報に基づく画像が含まれる場合に、秘密情報に基づく画像を非表示とした状態で操作画面をタッチパネルに表示するステップと、秘密情報に基づく画像を表示装置に表示するステップと、タッチパネルで操作画面に対するタッチを受け付けると、タッチされた位置を表わす位置情報を画像形成装置から表示装置に転送するステップと、表示装置の位置情報に対応する位置に、予め記憶しているポインター画像を秘密情報に基づく画像よりも前面に重ねて表示するステップとを備える。
【００１７】
本発明のさらに他の局面に従うと、制御プログラムはタッチパネルを有する画像形成装置の制御プログラムであって、タッチパネルに表示対象の操作画面に予め規定された秘密情報に基づく画像が含まれる場合に、秘密情報に基づく画像を非表示とした状態で操作画面をタッチパネルに表示するステップと、秘密情報に基づく画像を表示装置に対して送信するステップと、タッチパネルで操作画面に対するタッチを受け付けると、タッチされた位置を表わす位置情報を表示装置に送信するステップと、を画像形成装置に実行させる。
【００１８】
本発明のさらに他の局面に従うと、制御プログラムは、携帯可能な表示装置の制御プログラムあって、画像形成装置から操作画面に含まれる秘密情報に基づく画像の入力を受け付けると、秘密情報に基づく画像を表示するステップと、画像形成装置から、操作画面に対するタッチ位置を表わす位置情報の入力を受け付けると、位置情報に対応する位置に、予め記憶しているポインター画像を秘密情報に基づく画像よりも前面に重ねて表示するステップとを表示装置に実行させる。
【発明の効果】
【００１９】
この発明によると、セキュリティーを確保しつつ良好な操作性を備える画像処理システムを提供することができる。
【図面の簡単な説明】
【００２０】
【図１】実施の形態にかかる画像処理システム（以下、システムと略する）の構成の具体例を示す図である。
【図２】システムに含まれるＭＦＰ（Multi-Functional  Peripheral）の装置構成の具体例を示すブロック図である。
【図３】システムに含まれるヘッドマウントディスプレイ付きウェアラブルＰＣ（パーソナルコンピューター）（以下、ＨＭＤと略する）の装置構成の具体例を示すブロック図である。
【図４】第１の実施の形態にかかるシステムでの動作概要を説明するための図である。
【図５】第１の実施の形態にかかるシステムでの動作概要を説明するための図である。
【図６】第１の実施の形態にかかるシステムでの動作概要を説明するための図である。
【図７】第１の実施の形態にかかるシステムでの動作概要を説明するための図である。
【図８】ＭＦＰの機能構成の具体例を表わすブロック図である。
【図９】ＨＭＤの機能構成の具体例を表わすブロック図である。
【図１０】第１の実施の形態にかかるシステムで、操作画面を表示する際の動作の流れを表わすフローチャートである。
【図１１】図１０のマーカー画像を表示するための動作（＃３）の流れを表わすフローチャートである。
【図１２】第２の実施の形態にかかるシステムでの動作概要を説明するための図である。
【図１３】第２の実施の形態にかかるシステムでの動作概要を説明するための図である。
【図１４】第２の実施の形態にかかるシステムでの動作概要を説明するための図である。
【図１５】第２の実施の形態にかかるシステムでの動作概要を説明するための図である。
【図１６】第２の実施の形態にかかるシステムで、操作画面を表示する際の動作の流れを表わすフローチャートである。
【発明を実施するための形態】
【００２１】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２２】
＜システム構成＞
図１は、本実施の形態にかかる画像処理システム（以下、システムと略する）の構成の具体例を示す図である。図１を参照して、本実施の形態にかかるシステムは、画像形成装置の一例としてのＭＦＰ（Multi-Functional  Peripheral）１００と、携帯可能な表示装置の一例としてのヘッドマウントディスプレイ付きウェアラブルＰＣ（パーソナルコンピューター）（以下、ＨＭＤと略する）３００とを含む。ＭＦＰ１００とＨＭＤ３００とは相互に無線通信可能である。
【００２３】
画像形成装置は操作装置および表示装置としてのタッチパネルを有するものであればＭＦＰに限定されず、コピー機やプリンターやファクシミリ送受信機など、その他どのような画像形成装置であってもよい。表示装置は携帯可能なサイズであり、カメラを搭載、またはカメラに接続可能であればＨＭＤに限定されず、いわゆるスマートフォンなどの端末装置や携帯電話機やデジタルカメラなどであってもよい。
【００２４】
＜装置構成＞
図２は、ＭＦＰ１００の装置構成の具体例を示すブロック図である。図２を参照して、ＭＦＰ１００は、ＣＰＵ（Central  Processing  Unit）１０Ａを含み、ＭＦＰ全体を制御するためのシステムコントローラー１０と、ＣＰＵ１０Ａで実行されるプログラムなどを記憶するためのメモリーであるＲＯＭ（Read  Only  Memory）１１と、画像データを記憶したりＣＰＵ１０Ａがプログラムを実行する際の作業領域となったりするためのメモリーであるＲＡＭ（Random  Access  Memory）１２と、ハードディスク装置などの大容量のメモリーである記憶装置１３と、画像を読み取るための撮像部１４と、撮像部１４で読み取られた入力画像データを処理するための入力画像処理部１５と、画像データを処理して印刷データを作成するための出力画像処理部１６と、出力画像処理部１６からの印刷データを用紙に印刷するためのプリンターエンジン１７と、操作装置および表示装置として用いられるタッチパネルを含んだ操作部１８と、ＨＭＤ３００との間の無線通信を制御するためのネットワークインターフェース１９とを含む。図２はＭＦＰの構成の一例を表わしている。そのため、ＭＦＰ１００は、図２に示された構成の他、図示しないファクシミリ部や音声認識部を含んでいてもよい。
【００２５】
図３は、ＨＭＤ３００の装置構成の具体例を示すブロック図である。図３を参照して、ＨＭＤ３００は、装置全体を制御するためのＣＰＵ３０と、ＣＰＵ３０で実行されるプログラムなどを記憶するためのメモリーであるＲＯＭ３１と、画像データを記憶したりＣＰＵ３０がプログラムを実行する際の作業領域となったりするためのメモリーであるＲＡＭ３２と、ユーザーの頭部など身体または衣服に装着可能なディスプレイ３３と、カメラ３４と、ＭＦＰ１００との間の無線通信を制御するためのネットワークインターフェース３５とを含む。図３はヘッドマウントディスプレイ付きウェアラブルＰＣの構成の一例を表わしている。そのため、ＨＭＤ３００は、図３に示された構成の他、図示しない操作装置や音声入力装置（マイク）や音声出力装置（スピーカー）などを含んでいてもよい。
【００２６】
［第１の実施の形態］
＜動作概要＞
図４および図５は、第１の実施の形態にかかるシステムでの動作概要を説明するための図である。図４（Ａ）はＭＦＰ１００のタッチパネルである操作部１８に表示される操作画面の例を表わし、図４（Ｂ）および図５はＨＭＤ３００のディスプレイ３３に表示される画面の例を表わしている。詳しくは、本システムでは、セキュアモードでＨＭＤ３００からＭＦＰ１００に対してログイン要求がなされ、ＭＦＰ１００にてログインが成功すると、ＭＦＰ１００もセキュアモードで動作する。従って、ＨＭＤ３００からのセキュアモードでのログイン要求は、ＭＦＰ１００に対するセキュアモードの要求と言うこともできる。以降の説明では、ＨＭＤ３００からセキュアモードの要求を受け付けてＭＦＰ１００がセキュアモードで動作しているときにシステムにおいて後述するような画面表示のための動作が行なわれるものとしているが、セキュアモードに限定されず、操作画面に後述する秘密情報に基づく画像が含まれる場合に画面表示のための動作が行なわれてもよい。
【００２７】
セキュアモードでは、表示対象の操作画面に予め規定された秘密情報に基づく画像が含まれている場合、ＭＦＰ１００は、当該秘密情報に基づく画像を非表示とした状態で操作画面を操作部１８に表示する。秘密情報に基づく画像とは、たとえば、文書ファイルのプレビュー画像や、文書ファイルの送信先を選択するための送信先を表示した選択ボタンなどが該当する。図４では、文書ファイルのプレビュー画像が含まれる操作画面が操作対象とされている例が示されており、図４（Ａ）に表わされたように、ＭＦＰ１００の操作部１８には、プレビュー画像が非表示の状態で操作画面が表示される。
【００２８】
ＭＦＰ１００は、秘密情報に基づく画像（図４の例ではプレビュー画像）を操作画面における表示位置を表わした座標情報と共にＨＭＤ３００に対して送信する。または、ＭＦＰ１００は、秘密情報（図４の例では文書ファイル）そのものをＨＭＤ３００に対して送信してもよい。ＨＭＤ３００は、秘密情報に基づく画像をディスプレイ３３に表示する。図４の例では、図４（Ｂ）に表わされたように、ＨＭＤ３００のディスプレイ３３には、プレビュー画像が表示される。
【００２９】
ＭＦＰ１００は、操作画面の非表示としたプレビュー画像が表示される領域に対するタッチ操作を受け付けると、タッチされた位置を表わす位置情報をＨＭＤ３００に対して送信する。好ましくは、ＭＦＰ１００は、操作画面においてプレビュー画像を非表示とし、ＨＭＤ３００でプレビュー画像を表示している期間中に受け付けた上記領域に対するタッチ操作についての位置情報をＨＭＤ３００に対して送信する。
【００３０】
ＨＭＤ３００は位置情報をＭＦＰ１００から受信すると、図４（Ｂ）に表わされたように、ディスプレイ３３に表示したプレビュー画像の対応する位置に、予め記憶しているポインター画像を、該プレビュー画像よりも前面に重ねて表示する。ポインター画像は、たとば、図４（Ｂ）に表わされたように、手の画像であってもよいし、矢印やペンなどの画像であってもよいし、これらの組み合わせであってもよい。これにより、ディスプレイ３３を見ながら操作するユーザーの操作性を向上させることができる。
【００３１】
ＨＭＤ３００は、好ましくは、プレビュー画像を表示する際に、カメラ３４でＭＦＰ１００の操作画面を撮影して、撮影画像にプレビュー画像を重畳して表示する。その際に、図５に表わされたように、ＨＭＤ３００は、ＭＦＰ１００からの上記座標情報を用いて、撮影画像に含まれる操作画面の非表示となっている領域にプレビュー画像をあわせて表示する。
【００３２】
また好ましくは、ＨＭＤ３００は上記撮影画像を解析し、ＭＦＰ１００から上記の位置情報が送信されるよりも以前に予め規定されているマーカー画像が該撮影画像から検出されると、当該検出された位置に上記ポインター画像をプレビュー画像よりも前面に重ねて表示する。マーカー画像は、一例として手やタッチペンなど、タッチパネルの操作に用いられる物の画像が該当する。すなわち、図６（Ａ）に表わされたように、ＭＦＰ１００の操作部１８にプレビュー画像が非表示とされた状態で操作画面が表示されているときに操作画面にユーザーの手が近づいたことが撮影画像を解析することで検出されると、図６（Ｂ）または図７に表わされたように、ＨＭＤ３００は、ディスプレイ３３に、プレビュー画像よりも前面にたとえば手の画像などのポインター画像を表示する。これにより、ディスプレイ３３を見ながら操作するユーザーの操作性をより向上させることができる。
【００３３】
さらに好ましくは、ＨＭＤ３００はタッチよりも以前に検出されたマーカー画像に応じてポインター画像を表示する際に、マーカー画像の大きさから操作画面との間の距離を判別し、その距離に応じたサイズのポインター画像を表示する。これにより、ディスプレイ３３を見ながら操作するユーザーの操作性をより向上させることができる。
【００３４】
＜機能構成＞
図８は、上記動作を行なうためのＭＦＰ１００の機能構成の具体例を表わすブロック図である。図８の各機能は、ＭＦＰ１００のＣＰＵ１０ＡがＲＯＭ１１に記憶されているプログラムをＲＡＭ１２上に読み出して実行することで、主に、ＣＰＵ１０Ａで実現されるものである。しかしながら、少なくとも一部機能が電気回路などのハードウェア構成にて実現されてもよい。
【００３５】
図８を参照して、ＲＯＭ１１などのメモリーには、操作画面を記憶するための記憶領域である操作画面記憶部１１１が設けられる。さらに図８を参照して、ＣＰＵ１０Ａは、タッチパネルである操作部１８に操作画面を表示する処理を行なうための表示処理部１０１と、タッチパネルである操作部１８から操作信号の入力を受け付けることでユーザー指示（タッチ）を受け付けるための指示入力部１０２と、タッチ位置と表示画面とから指示内容を特定して指示された画像形成処理を実行し、操作画面を更新するための処理部１０３と、秘密情報に基づく画像の一例としてのプレビュー画像をネットワークインターフェース１９を介してＨＭＤ３００に対して送信するための第１送信部１０４と、操作画面上のタッチされた位置を表わす位置情報をネットワークインターフェース１９を介してＨＭＤ３００に対して送信するための第２送信部１０５とを含む。
【００３６】
表示処理部１０１は、操作画面に秘密情報に基づく画像の一例としてのプレビュー画像が含まれる場合に、または、セキュアモード時に操作画面にプレビュー画像が含まれる場合に、プレビュー画像を非表示とした状態で操作画面をタッチパネルである操作部１８に表示するための処理を実行する。
【００３７】
第１送信部１０４は、操作画面にプレビュー画像が含まれる場合に、または、セキュアモード時に操作画面にプレビュー画像が含まれる場合に、プレビュー画像をネットワークインターフェース１９を介してＨＭＤ３００に対して送信する。好ましくは、第１送信部１０４は、プレビュー画像と共に、操作画面上のプレビュー画像を表示する領域を表わす座標情報をＨＭＤ３００に対して送信する。
【００３８】
第２送信部１０５は、操作画面に対するタッチを受け付けるとタッチされた位置を表わす位置情報をネットワークインターフェース１９を介してＨＭＤ３００に対して送信する。好ましくは、第２送信部１０５は、操作画面中のプレビュー画像を表示する領域に対するタッチを受け付けると位置情報をＨＭＤ３００に対して送信する。より好ましくは、第２送信部１０５は、表示処理部１０１がプレビュー画像を非表示とした状態で操作画面を操作部１８に表示している間に受け付けたタッチについての位置情報を送信する。
【００３９】
図９は、上記動作を行なうためのＨＭＤ３００の機能構成の具体例を表わすブロック図である。図９の各機能は、ＨＭＤ３００のＣＰＵ３０がＲＯＭ３１に記憶されているプログラムをＲＡＭ３２上に読み出して実行することで、主に、ＣＰＵ３０で実現されるものである。しかしながら、少なくとも一部機能が電気回路などのハードウェア構成にて実現されてもよい。
【００４０】
図９を参照して、ＣＰＵ３０は、ネットワークインターフェース３５を介してＭＦＰ１００から秘密情報に基づく画像の一例としてのプレビュー画像の入力を受け付けるための秘密情報画像入力部３０１と、ネットワークインターフェース３５を介してＭＦＰ１００から位置情報の入力を受け付けるための位置情報入力部３０２と、プレビュー画像などをディスプレイ３３に表示する処理を実行するための表示処理部３０３と、カメラ３４から撮影画像の入力を受け付けるための撮影画像入力部３０４と、撮影画像を解析するための解析部３０５とを含む。
【００４１】
表示処理部３０３は、好ましくは、ＭＦＰ１００からの座標情報を用いて、撮影画像に含まれる操作画面のプレビュー画像が非表示とされた領域にプレビュー画像を重ねてディスプレイ３３に表示する。
【００４２】
表示処理部３０３は、予めポインター画像としてたとえば手の画像などを記憶しておく。そして、表示処理部３０３は、位置情報入力部３０２が位置情報の入力を受け付けると、ポインター画像を、ディスプレイ３３に表示されたプレビュー画像の上記位置情報に対応する位置に、プレビュー画像よりも前面に重ねて表示する。
【００４３】
好ましくは、解析部３０５は予め手やタッチペンなどのマーカー画像のテンプレートを記憶しておき、たとえば撮影画像に対してマッチング処理するなどして撮影画像中のマーカー画像を探索する。そして、撮影画像から該マーカー画像が検出されると、検出されたマーカー画像の位置に手の画像などの上記のポインター画像を、プレビュー画像よりも前面に重ねて表示する。より好ましくは、解析部３０５は、検出されたマーカー画像のサイズに基づいて操作画面から手などの操作物までの距離を判別し、その距離に応じたサイズのポインター画像を表示する。一例として、解析部３０５は操作画面に対するマーカー画像のサイズ比に関連付けて上記距離を記憶しておき、撮影画像中の操作画面に対する検出されたマーカー画像のサイズ比に応じて距離を判別してもよい。
【００４４】
＜動作フロー＞
図１０は、第１の実施の形態にかかるシステムで、操作画面を表示する際の動作の流れを表わすフローチャートであって、左側がＭＦＰ１００での動作、右側がＨＭＤ３００での動作の流れを表わしている。この動作は、それぞれのＣＰＵがＲＯＭに記憶されているプログラムをＲＡＭ上に読み出して実行し、図８または図９の各機能を発揮することによって実現される。
【００４５】
図１０を参照して、ＨＭＤ３００のＣＰＵ３０は、図示しない操作装置からユーザー操作を受け付けると、当該操作に従ってセキュアモードをＯＮし、また、カメラ３４を起動する（ステップＳ１０１）。そして、ＣＰＵ３０は、予め規定された、または、ユーザー操作によって指定されたＭＦＰ１００に対してセキュアモードでのログインを要求する（ステップＳ１０３）。ＭＦＰ１００にて認証成功の場合、ＨＭＤ３００のＭＦＰ１００へのログインは許可される。
【００４６】
ＨＭＤ３００からのログイン要求がセキュアモードではなかった場合には（ステップＳ２０１でＮＯ）、ＭＦ１００のＣＰＵ１０Ａは、そのログインを許可した後、通常の処理を実行する（ステップＳ２０３）。ここでは上記の操作画面を表示する処理は行なわれないため、以降の詳細な説明は記載しない。
【００４７】
一方、ＨＭＤ３００からのログイン要求がセキュアモードであった場合（ステップＳ２０１でＹＥＳ）、ＨＭＤ３００からのセキュアモードでのログインを許可し（ステップＳ２０５）、タッチパネルである操作部１８に操作用のメニュー画面を表示する（ステップＳ２０７）。操作用のメニューは、秘密情報に基づく画像を含む操作画面を表示する操作の一例として、文書ファイルのプレビュー表示を指示するメニューを含むものとする。なお、本動作の最初からここまでの動作を、ログイン動作（＃１）とする。
【００４８】
表示された操作用のメニューにおいて文書ファイルのプレビュー表示を指示するメニューが選択されなかった場合には（ステップＳ２０９でＮＯ）、ＣＰＵ１０Ａは、選択されたメニューに従って通常の処理を実行する（ステップＳ２１１）。ここでは上記の操作画面を表示する処理は行なわれないため、以降の詳細な説明は記載しない。
【００４９】
一方、操作用のメニューにおいて文書ファイルのプレビュー表示を指示するメニューが選択された場合（ステップＳ２０９でＹＥＳ）、ＣＰＵ１０Ａは、秘密情報に基づく画像であるプレビュー画像を非表示とした操作画面をタッチパネルである操作部１８に表示する（ステップＳ２１３）。また、ＣＰＵ１０Ａは、プレビュー画像をＨＭＤ３００に対して送信する（ステップＳ２１５）。このとき、好ましくは、ＣＰＵ１０Ａは、操作画面におけるプレビュー画像を表示する領域を表わす座標情報もＨＭＤ３００に対して送信する。
【００５０】
ＨＭＤ３００のＣＰＵ３０は、ＭＦＰ１００からの情報に基づいてプレビュー画像をディスプレイ３３に表示する（ステップＳ１０５）。このとき、好ましくは、ＣＰＵ３０はカメラ３４に操作画面を撮影させて撮影画像を取得し、ＭＦＰ１００からの座標情報を用いて、操作画面にプレビュー画像を重畳して表示する。なお、本動作の最初からここまでの動作を、操作画面表示動作（＃２）とする。
【００５１】
ＭＦＰ１００のＣＰＵ１０Ａは、プレビュー画像を非表示とした操作画面を表示している状態において操作画面に対するタッチ操作を受け付けるよりも以前に、後述するマーカー画像を表示するための動作（＃３）を実行する。そして、操作画面（好ましくはプレビュー画像の表示領域）に対するタッチ操作を受け付けると（ステップＳ２１７でＹＥＳ）、ＣＰＵ１０Ａは、タッチされた位置を表わす位置情報をＨＭＤ３００に対して送信する（ステップＳ２１９）。そして、ＣＰＵ１０Ａは、そのユーザー操作に従って画像形成処理を実行する（ステップＳ２２１）。
【００５２】
なお、好ましくは、ＣＰＵ１０Ａは、上記ステップＳ２２１で操作画面が更新されると、その旨をＨＭＤ３００に通知する。ＨＭＤ３００のＣＰＵ３０は、上記通知を受けると、ディスプレイ３３でのプレビュー画像の表示や、操作画面の撮影画像の表示を終了する。
【００５３】
ＨＭＤ３００のＣＰＵ３０はＭＦＰ１００から上記の位置情報を受信すると、表示しているプレビュー画像の対応する位置にポインター画像としての手の画像を、プレビュー画像よりも前面に重ねて表示する（ステップＳ１０７）。
【００５４】
図１１は、上記のマーカー画像を表示するための動作（＃３）の流れを表わすフローチャートである。図１１を参照して、ＨＭＤ３００のＣＰＵ３０は、ＭＦＰ１００からタッチ位置を表わす位置情報を受信するよりも以前に撮影画像内からマーカー画像である手の画像を検出すると（ステップＳ３０１でＹＥＳ）、検出された手の画像のサイズに基づいて操作画面から手までの距離を判別する（ステップＳ３０３）。そして、ＣＰＵ３０は、判別した距離に応じてポインター画像である手の画像のサイズを決定し（ステップＳ３０５）、そのサイズの手の画像をプレビュー画像よりも前面に重ねて表示する（ステップＳ３０７）。
【００５５】
＜第１の実施の形態の効果＞
上記動作を行なうことで、本システムは、プレビュー画像や文書ファイルの送信先を選択するための送信先を表示した選択ボタンなどの秘密情報に基づく画像を含む操作画面を表示する際に、セキュアモードでは、その画像を非表示とした状態でＭＦＰ１００の本体の操作部１８に表示し、秘密情報に基づく画像はユーザーの携帯するＨＭＤ３００などの表示装置に表示する。これにより、ＭＦＰ１００の設置されている状況やユーザーの使用状況によって操作画面から秘密情報が漏洩することを防止することができる。
【００５６】
その際に、上記動作を行なうことで、本システムは、ＨＭＤ３００のディスプレイ３３に操作している手等の画像を、秘密情報に基づく画像よりも前面に重ねて表示する。これにより、ＨＭＤ３００での表示を見ながらＭＦＰ１００を操作する際に手等の位置をＨＭＤ３００での表示から把握することができ、ユーザーの操作性を向上させることができる。さらに好ましくは、ＭＦＰ１００の操作画面から手等までの間の距離に応じた大きさで手等の画像を表示する。これにより、ＨＭＤ３００での表示を見ながらＭＦＰ１００を操作する際に手等の位置をＨＭＤ３００での表示からＭＦＰ１００に表示されている操作画面までの距離を把握することができ、ユーザーの操作性をより向上させることができる。
【００５７】
［第２の実施の形態］
＜動作概要＞
図１２〜図１５は、第２の実施の形態にかかるシステムでの動作概要を説明するための図である。図１２（Ａ）はＭＦＰ１００のタッチパネルである操作部１８に表示される操作画面の例を表わし、図１２（Ｂ）、図１３、図１４および図１５はＨＭＤ３００のディスプレイ３３に表示される画面の例を表わしている。
【００５８】
第２の実施の形態にかかるシステムでも、セキュアモード時、ＭＦＰ１００は、秘密情報に基づく画像を非表示とした状態で操作画面をタッチパネルである操作部１８に表示し、ＨＭＤ３００は秘密情報に基づく画像をディスプレイ３３に表示する。図１２では、操作画面に、秘密情報に基づく画像として文書ファイルの送信先を選択するための送信先を表示した選択ボタンが含まれる例が示されている。
【００５９】
第２の実施の形態にかかるシステムでは、図１２（Ａ）に表わされたように、ＭＦＰ１００は、セキュアモード時に、秘密情報に基づく画像の一例である送信先の選択ボタンを非表示とすると共に、操作画面に、さらに、当該操作画面に対するタッチによる指示を確定するためのボタン（確定ボタン）を表示する。確定ボタンが押下されるまでは、たとえば同じ選択ボタンを再度タッチしたり、選択ボタンの押下の後、所定時間経過するまで他の操作を行なわなかったりすることによって、ボタンの選択を無効とすることができる。すなわち、当該操作画面を用いて、ユーザーは、選択ボタンで送信先を選択した後に確定ボタンを押下してその選択を確定し、その後、ＯＫボタンを押下して文書ファイルの送信を指示することができる。
【００６０】
ＭＦＰ１００は、秘密情報に基づく画像としての選択ボタンの画像をＨＭＤ３００に対して送信する。そして、ＨＭＤ３００は、図１２（Ｂ）に表わされたように選択ボタンの画像をディスプレイ３３に表示する。好ましくは、ＭＦＰ１００は、選択ボタンが複数ある場合、選択ボタンの表示間隔をＭＦＰ１００での表示位置に基づく間隔よりも広くした画像を生成してＨＭＤ３００に対して送信する。これにより、図１３に表わされたように、ＨＭＤ３００にはＭＦＰ１００の表示位置に基づく間隔よりも広く選択ボタンが表示される。なお、第１の実施の形態と同様に、ＨＭＤ３００は、図１４あるいは図１５に表わされたように、選択ボタンが非表示とされたＭＦＰ１００の操作画面の撮影画像に選択ボタンの画像を重畳してディスプレイ３３に表示してもよい。
【００６１】
＜機能構成＞
上記動作を行なうためのＭＦＰ１００およびＨＭＤ３００の機能構成は、それぞれ、図８および図９に表わされた構成と同様であってよい。
【００６２】
第２の実施の形態では、ＭＦＰ１００の表示処理部１０１は、操作画面に秘密情報に基づく画像の一例としての選択ボタンが含まれる場合に、または、セキュアモード時に操作画面に選択ボタンが含まれる場合に、選択ボタンを非表示とすると共に、操作画面記憶部１１１に記憶操作画面に対して確定ボタンを追加してタッチパネルである操作部１８に表示する。処理部１０３は、指示入力部１０２が確定ボタンに対するタッチを受け付けて選択状態を確定し、そのユーザー操作に従って画像形成処理を実行する。
【００６３】
好ましくは、表示処理部１０１は、選択ボタンが複数ある場合、選択ボタンの表示間隔をＭＦＰ１００での表示位置に基づく間隔よりも広くした画像を生成する。
【００６４】
＜動作フロー＞
図１６は、第２の実施の形態にかかるシステムで、操作画面を表示する際の動作の流れを表わすフローチャートであって、図１０と同様に、左側がＭＦＰ１００での動作、右側がＨＭＤ３００での動作の流れを表わしている。この動作もまた、それぞれのＣＰＵがＲＯＭに記憶されているプログラムをＲＡＭ上に読み出して実行し、図８または図９の各機能を発揮することによって実現される。
【００６５】
図１６を参照して、図１０に示されたログイン動作（＃１）の後、表示された操作用のメニューにおいて宛先情報の表示を指示するメニューが選択されなかった場合には（ステップＳ２３１でＮＯ）、ＣＰＵ１０Ａは、選択されたメニューに従って通常の処理を実行する（ステップＳ２３３）。ここでは上記の操作画面を表示する処理は行なわれないため、以降の詳細な説明は記載しない。
【００６６】
一方、操作用のメニューにおいて宛先情報（選択ボタン）の表示を指示するメニューが選択された場合（ステップＳ２３１でＹＥＳ）、ＣＰＵ１０Ａは、選択ボタンの画像を表示する領域を非表示とした操作画面をタッチパネルである操作部１８に表示する（ステップＳ２３５）。このとき、ＣＰＵ１０Ａは、操作画面に、さらに、上述の当該操作画面に対するタッチによる指示を確定するためのボタン（確定ボタン）を表示する（ステップＳ２３７）。また、ＣＰＵ１０Ａは、選択ボタンの画像をＨＭＤ３００に対して送信する（ステップＳ２３９）。このとき、好ましくは、ＣＰＵ１０Ａは、操作画面における選択ボタンの画像を表示する領域を表わす座標情報もＨＭＤ３００に対して送信する。また好ましくは、ＣＰＵ１０Ａは、選択ボタンが複数である場合、図１３や図１４のように、その表示間隔を広くした画像を生成してＨＭＤ３００に対して送信する。
【００６７】
ＨＭＤ３００のＣＰＵ３０は、ＭＦＰ１００からの情報に基づいて選択ボタンの画像をディスプレイ３３に表示する（ステップＳ１１１）。このとき、好ましくは、ＣＰＵ３０はカメラ３４に操作画面を撮影させて撮影画像を取得し、ＭＦＰ１００からの座標情報を用いて、操作画面に選択ボタンの画像を重畳して表示する。
【００６８】
ＭＦＰ１００のＣＰＵ１０Ａは、操作画面（好ましくは選択ボタンの画像の表示領域）に対するタッチ操作を受け付け（ステップＳ２４１でＹＥＳ）、さらに、確定ボタンがタッチされると（ステップＳ２４３でＹＥＳ）、そのユーザー操作に従って画像形成処理を実行する（ステップＳ２４５）。
【００６９】
なお、第２の実施の形態にかかるシステムでも、第１の実施の形態にかかるシステムと同様に、ＣＰＵ１０Ａは、操作画面に対するタッチ操作を受け付けるとその位置情報をＨＭＤ３００に対して送信し、ＨＭＤ３００においてポインター画像としての手の画像を選択ボタンの画像よりも前面に重ねて表示してもよい。また、タッチ操作よりも以前に撮影画像内からマーカー画像である手の画像が検出されると、ＨＭＤ３００のＣＰＵ３０は、手の画像を選択ボタンの画像よりも前面に重ねて表示するようにしてもよい。
【００７０】
＜第２の実施の形態の効果＞
上記動作を行なうことで、本システムは、ＭＦＰ１００本体では非表示とし、ＨＭＤ３００で表示する秘密情報に基づく画像に選択ボタンなどの操作対象の画像が含まれる場合に、ＭＦＰ１００本体の操作画面に確定ボタンを表示する。そして、ＭＦＰ１００は、確定ボタンを操作されてはじめて、それ以前の操作を確定して画像形成処理を実行する。通常、ＨＭＤ３００などユーザーの携帯する表示装置を見ながらのＭＦＰ１００の操作はＭＦＰ１００を直接操作する場合よりも誤操作の可能性が高い。しかしながら、上記のように確定ボタンが表示されることで誤操作に基づいた誤作動を防止することができ、操作性を良好なものとすることができる。
【００７１】
さらに、選択ボタンが複数含まれる場合にＨＭＤ３００ではＭＦＰ１００本体での表示よりもボタン間隔が広く表示されることで、操作性をより良好なものとすることができる。
【００７２】
＜変形例＞
さらに他の例として、ＭＦＰ１００のＣＰＵ１０Ａは、秘密情報に基づく画像をタッチパネルである操作部１８の表示画面で非表示としている状態では、当該タッチパネルに対するマルチタッチ操作やフリック操作などの一定の操作を受け付けないようにしてもよい。好ましくは、ＣＰＵ１０Ａは、秘密情報に基づく画像の属性に応じてこれら操作の可否を決定してもよい。たとえば、秘密情報に基づく画像がプレビュー画像の場合には上記の操作を受け付けてよく、選択ボタンの場合には上記の操作を受け付けないようにしてもよい。
【００７３】
さらに他の例として、ＭＦＰ１００のＣＰＵ１０Ａは、秘密情報に基づく画像をタッチパネルである操作部１８の表示画面で非表示としている状態では、当該タッチパネルに対するタッチ操作と判断するためのタッチ時間のしきい値を、通常の操作画面表示時のしきい値よりも長くしてもよい。すなわち、ＭＦＰ１００のＣＰＵ１０Ａは、通常の操作画面表示時よりも長い時間タッチされて初めて、タッチ操作がなされたと認識するようにしてもよい。
【００７４】
このようにすることで、ユーザーがＨＭＤ３００などの携帯する表示装置を見ながらＭＦＰ１００のタッチパネルを操作する際に手が当たってしまうなどの意図しないタッチでの誤作動を適切に防止することができ、操作性を良好なものとすることができる。
【００７５】
さらに、ＭＦＰ１００のＣＰＵ１０ＡおよびＨＭＤ３００のＣＰＵ３０に上述の動作をさせるためのそれぞれのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００７７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７８】
提供されるプログラム製品は、ハードディスクなどのプログラム格納部にインストールされて実行される。なお、プログラム製品は、プログラム自体と、プログラムが記録された記録媒体とを含む。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
１０  システムコントローラー、１０Ａ，３０  ＣＰＵ、１１，３１  ＲＯＭ、１２，３２  ＲＡＭ、１３  記憶装置、１４  撮像部、１５  入力画像処理部、１６  出力画像処理部、１７  プリンターエンジン、１８  操作部、１９，３５  ネットワークインターフェース、３３  ディスプレイ、３４  カメラ、１００  ＭＦＰ、１０１，３０３  表示処理部、１０２  指示入力部、１０３  処理部、１０４  第１送信部、１０５  第２送信部、１１１  操作画面記憶部、３００  ＨＭＤ、３０１  秘密情報画像入力部、３０２  位置情報入力部、３０４  撮影画像入力部、３０５  解析部。
【図１】
2015014977.tif 000003
【図２】
2015014977.tif 000004
【図３】
2015014977.tif 000005
【図４】
2015014977.tif 000006
【図５】
2015014977.tif 000007
【図６】
2015014977.tif 000008
【図７】
2015014977.tif 000009
【図８】
2015014977.tif 000010
【図９】
2015014977.tif 000011
【図１０】
2015014977.tif 000012
【図１１】
2015014977.tif 000013
【図１２】
2015014977.tif 000014
【図１３】
2015014977.tif 000015
【図１４】
2015014977.tif 000016
【図１５】
2015014977.tif 000017
【図１６】
2015014977.tif 000018